(57)【特許請求の範囲】
【請求項１】
少なくとも、
回路基板と、
該回路基板に表示面を上にして搭載される反射型液晶パネルと、
該回路基板に搭載され回路基板面上部に発光する発光素子と、
前記反射型液晶パネルの周囲を囲み、前記反射型液晶パネルと同一高さに構成された基台と、
前記発光素子の上面に位置するように配置される導光板と、該導光板の内側面の前面に配置される拡散部材及び偏光板と、該偏光板から前記回路基板に対して平行に出光する光を反射し、前記反射型液晶パネルに入射するように前記平行光の前方に配置される半透過型反射シートとを組み込んだ筐体を有し、
前記筐体が前記反射型液晶パネルと前記基台の上部に搭載されてなる反射型液晶表示装置であって、
前記反射型液晶パネルの画像表示領域に対応した開口部を有する遮光部材を、前記反射型液晶パネルと前記基台の上部に密着配置し、該遮光部材の上部に前記筐体を搭載したとを特徴とする反射型液晶表示装置。
【請求項２】
前記遮光部材が前記筐体に一体形成されてなることを特徴とする請求項１記載の反射型液晶表示装置。
【発明の詳細な説明】
【０００１】
【発明の属する技術分野】
本発明は、デジタルスチルカメラ、ビデオカメラ等のモニタとして利用される反射型液晶表示装置に関するものである。
【０００２】
【従来の技術】
図１は従来の反射型液晶表示装置を示すもので（Ａ）は正面断面図、（Ｂ）は上面図である。図２は従来の反射型液晶表示装置の分解斜視図である。回路基板１の上面に反射型液晶パネル２と発光素子３が搭載され、反射型液晶パネルの周囲を囲む基台４が固定されている。基台４には３つのガイドピン４ａ、４ｂ、４ｃが備えられており、ガイドピンにより筐体５が位置決め固定されている。基台４の内側で、反射型液晶パネル２の周囲にはポッティング樹脂（不図示）が充填されている。発光素子３の上部に位置する筐体５ａの部分は凹部になっており、筐体５の内側からみて、偏光板６、拡散板７、導光板８、反射板（反射枠）９が組み込まれている。導光板８は回路基板１に立てるように組み込まれた構造である。また、図示しないが導光板８の端部に発光素子３を収納できる凹部を設けて回路基板１に直接立てる構造もある。反射型液晶パネル２の上部に位置する筐体５の５ｃは空洞部であり、その上部は開放されている。図１（Ａ）で示したように筐体５を正面から見ると筐体５の上面は左下がりの斜面に形成されており、斜面部５ｂには空洞部５ｃを覆うように半透過型反射シート１０が組み込まれている。半透過型反射シート１０は反射シート１０ａと偏光板１０ｂの積層板である。
【０００３】
反射型液晶表示装置は図１中に示す目１１方向から画像を見るものである。発光素子３からの光（矢印▲１▼）は導光板８の下面から導光板８に導入される。反射板９で反射された光は拡散板７で拡散され、偏光板６を透過した直線偏光光（以下Ｐ波という）だけが矢印▲２▼の方向に進む。半透過型反射シート１０はＰ波を反射するものであり、半透過型反射シート１０で反射されたＰ波は矢印▲３▼に進み反射型液晶パネル２に入射するように半透過型反射シート１０が斜めに配置されている。
【０００４】
反射型液晶パネル２は電源オフ状態でＰ波がそのまま液晶を通過するように配置してあり、反射型液晶パネル２で反射されたＰ波は矢印▲４▼方向に進む。半透過型反射シート１０の偏光板１０ｂはＰ波を透過しない状態に配置してあり、電源オフ状態では黒表示状態となっている。
【０００５】
反射型液晶パネル２の電源オン状態ではＰ波は液晶で偏光され、反射型液晶パネル２で偏光されて反射された偏光光は矢印▲４▼方向に進む。半透過型反射シート１０の偏光板１０ｂは電源オン状態で反射された光を透過する状態に配置されているので、電源オン状態では白表示状態となっている。
【０００６】
偏光板の偏光方向と反射型液晶パネルの配置・組み合せは反射型液晶パネルにより適宜選定される。
【０００７】
【発明が解決しようとする課題】
従来の反射型液晶表示装置では反射型液晶パネル２の画像表示領域（以下表示エリア）２ａの周辺の非表示エリア２ｂに反射型液晶素子（不図示）の画素を駆動するための配線（不図示）が施されており、ここに電圧が印加されたり、配線の凹凸によって液晶の配向が乱されるため、反射型液晶パネル２の非表示エリア２ｂの側に入射した光が偏光状態を変えてしまい、その乱光により表示エリア２ａの映像を見にくくしていた。
本発明は表示エリア外の光漏れや乱光を防止し映像の見やすい反射型液晶表示装置を提供しようとするものである。
【０００８】
【課題を解決するための手段】
少なくとも、回路基板と、該回路基板に表示面を上にして搭載される反射型液晶パネルと、該回路基板に搭載され回路基板面上部に発光する発光素子と、
前記反射型液晶パネルの周囲を囲み、前記反射型液晶パネルと同一高さに構成された基台と、前記発光素子の上面に位置するように配置される導光板と、該導光板の内側面の前面に配置される拡散部材及び偏光板と、該偏光板から前記回路基板に対して平行に出光する光を反射し、前記反射型液晶パネルに入射するように前記平行光の前方に配置される半透過型反射シートとを組み込んだ筐体を有し、
前記筐体が前記反射型液晶パネルと前記基台の上部に搭載されてなる反射型液晶表示装置であって、前記反射型液晶パネルの画像表示領域に対応した開口部を有する遮光部材を、前記反射型液晶パネルと前記基台の上部に密着配置し、該遮光部材の上部に前記筐体を搭載した反射型液晶表示装置とする。
【０００９】
前記遮光部材を前記筐体に一体形成した反射型液晶表示装置とする。
【００１０】
【発明の実施の形態】
図３は本発明の一実施形態で反射型液晶表示装置の分解斜視図である。図４は本発明の反射型液晶表示装置の正面断面図である。従来の液晶表示装置と共通する部品については、共通の符号を用いている。
５は傾斜部５ｂを有する筐体で、傾斜部５ｂの内側にはガイド部５ｄが設けられている。ガイド部５ｄは半透過型反射シート１０を組み込む際にガイドの役目を成すものである。半透過型反射シート１０は反射シート１０ａと偏光板１０ｂの積層板である。６は偏光板で、その後ろ側（図４においては右側）には拡散板７、導光板８、反射板９が組み込まれている。
【００１１】
１２は遮光板であり、樹脂等で形成される板状又はシート状のものである。遮光板１２は反射型液晶パネル２の表示エリア２ａに対応する開口部１２ａと、半透過型反射シート１０を挿入固定するための穴１２ｂと、導光板を配置するための切り欠き部１２ｃを有している。
【００１２】
回路基板１の上面には反射型液晶パネル２と発光素子３が搭載され、反射型液晶パネル２の周囲を囲む基台４が固定されている。基台４には３つのガイドピン４ａ、４ｂ、４ｃが備えられており、ガイドピンにより遮光板１２と筐体５が位置決め固定されている。反射型液晶パネル２の表示エリア２ａ以外の非表示エリア２ｂは、遮光板により完全に覆われる構成となる。したがって入射光は開口部１２ａからのみ入射し、反射型液晶パネル２の表示エリアのみに入射する。これにより非表示エリアからの光漏れや乱光はなくなり映像を見やすくできる。
【００１３】
図５は本発明の他の実施形態を示す反射型液晶表示装置の筐体を示す斜視図である。１３は筐体で、図示してないが偏光板、拡散板、反射板、導光板を組み込み、半透過型反射シートが組み込まれる筐体である。１３ｂは筐体１３に一体形成された遮光板である。遮光板１３ｂは開口部１３ａを有しており、この開口部１３ａは反射型液晶パネルの表示エリアに対応した開口部となっている。
【００１４】
図６は図５の筐体１３を用いた反射型液晶表示装置の正面断面図である。筐体１３は、回路基板１に固定された基台４上に固定されている。基台４と反射型液晶パネル２は同一高さに構成されており、筐体１３に一体形成された遮光板１３ｂは表示パネル２の表示エリア２ａ以外の部分に密着した構造である。遮光板１３ｂは非表示エリア２ｂを完全に覆う構成となる。入射光は開口部１３ａからのみ入射し、反射型液晶パネル２の表示エリアのみに入射する。これにより非表示エリアからの光漏れや乱光はなくなり映像を見やすくできる。
【００１５】
【発明の効果】
表示パネルの表示エリアに対応した開口部を有する遮光板を、筐体と基台及び表示パネルの間に設けたので、表示エリア外からの光漏れや、乱光を防止でき、映像の見やすい液晶表示装置が得られる。
【００１６】
遮光板を筐体に一体形成したことにより、部品数を増やすことなく容易に製造できる。
【図面の簡単な説明】
【図１】従来の反射型液晶表示装置を示すもので（Ａ）は正面断面図、（Ｂ）は上面図。
【図２】従来の反射型液晶表示装置の分解斜視図。
【図３】本発明の一実施形態で反射型液晶表示装置の分解斜視図。
【図４】本発明の反射型液晶表示装置の正面断面図。
【図５】本発明の他の実施形態を示す反射型液晶表示装置の筐体を示す斜視図。
【図６】図５の筐体１３を用いた反射型液晶表示装置の正面断面図。
【符号の説明】
１    回路基板
２    反射型液晶パネル
２ａ  表示エリア
２ｂ  非表示エリア
３    発光素子
４    基台
４ａ  ガイドピン
４ｂ  ガイドピン
４ｃ  ガイドピン
５    筐体
６    偏光板
７    拡散板
８    導光板
９    反射板
１０    半透過型反射シート
１０ａ  反射シート
１０ｂ  偏光板
１１    目
１２    遮光板
１２ａ  開口部
１２ｂ  穴
１２ｃ  切り欠き部
１３    筐体
１３ａ  開口部
１３ｂ  遮光板
【図１】
0003673896.tif 000002
【図２】
0003673896.tif 000003
【図３】
0003673896.tif 000004
【図４】
0003673896.tif 000005
【図５】
0003673896.tif 000006
【図６】
0003673896.tif 000007